【事件の表示】
　特許第３３２７８８１号「文字情報と地図画像の合成方法及びデータベース機能向上支援システム」の請求項１ないし６に係る特許に対する特許異議の申立てについてされた平成１６年１０月１日付け異議の決定に対し，知的財産高等裁判所において異議の決定の取消の判決（平成１７年（行ケ）第１０３４８号平成１７年１０月１３日判決言渡）があったので，さらに審理のうえ，次のとおり決定する。 
【結　論】
　訂正を認める。
　特許第３３２７８８１号の請求項１ないし６に係る特許を取り消す。
【理　由】
 第１　手続の経緯 
　特許第３３２７８８１号の請求項１ないし６に係る発明についての出願は，平成７年１月１３日に特許出願した特願平７−１９８６３号の一部を平成１１年１１月９日に新たな特許出願としたものであって，平成１４年７月１２日にその発明について特許権の設定登録がされ，その後，その特許について，特許異議申立人森田昭司（以下「申立人Ａ」という。）及び特許異議申立人城川明子（以下「申立人Ｂ」という。）から特許異議の申し立てがなされ，取消しの理由が通知され，その指定期間内である平成１６年６月１４日に訂正請求がなされた後，訂正拒絶理由が通知され，平成１６年９月２１日に手続補正がなされたものである。 
 　 
第２　訂正の適否についての判断 
１　訂正請求に対する訂正の適否について 
　平成１６年９月２１日付けの手続補正は，実質的に訂正請求書の訂正事項７と訂正事項８の削除であるので，これを認める。 
 　 
２　訂正の内容 
　平成１６年６月１４日付けの訂正請求書と，平成１６年９月２１日付け手続補正書とから，特許権者が求めている訂正の内容は，以下のとおりである。 
（１）訂正事項１ 
　誤記の訂正を目的として， 
　２ａ；特許請求範囲の請求項１中（特許公報第１頁右欄第１行乃至第２行）の「記憶する管理テーブルに登録する」を「文字情報記憶部に登録する」と訂正し， 
　２ｂ；請求項１中（特許公報第１頁右欄第３行乃至第４行）の「（ｃ）入力された文字情報を検索キーとして前記管理テーブルに登録された文字情報群」を「（ｃ）入力された文字情報を検索キーとして前記文字情報記憶部に登録された文字情報群」と訂正する。 
　これらの訂正２ａ，２ｂに伴い，請求項１の記載と発明の詳細な説明の記載との整合を図るため，誤記の訂正を目的として， 
　２ｃ；明細書の段落【０００８】中の第９行乃至第１０行（特許公報の第３頁左欄第１７行乃至第１９行）の「記憶する管理テーブルに登録するステップ；（ｃ）入力された文字情報を検索キーとして前記管理テーブルに登録された文字情報群」を，「文字情報記憶部に登録するステップ；（ｃ）入力された文字情報を検索キーとして前記文字情報記憶部に登録された文字情報群」と訂正する。 
　
（２）訂正事項２ 
　誤記の訂正を目的として，特許請求範囲の請求項２中（特許公報第２頁右欄第１２行）の「前記（ｄ）のステップは」を「前記（ｂ）のステップは」と訂正する。 
　
（３）訂正事項３ 
　誤記の訂正を目的として，明細書の段落【０００６】最終行（特許公報第２頁右欄第４２行乃至第４３行）における「できなかった」を「できなかった。」と訂正する。 
　
（４）訂正事項４ 
　誤記の訂正を目的として，明細書の段落【００１５】第１行乃至第２行（特許公報第４頁左欄第１５行）における「図１のフローチャート」を「図２のフローチャート」と訂正する。 
　
（５）訂正事項５ 
　誤記の訂正を目的として，明細書の段落【００２１】第２行（特許公報第４頁右欄第２４行乃至第２５行）における「図形情報Ｇ２に対応する文字情報がＫＥＹＧ１２」を「図形情報Ｇ２に対応する文字情報がＫＥＹＧ２１」と訂正する。 
　
（６）訂正事項６ 
　誤記の訂正を目的として，明細書の段落【００２５】第８行（特許公報第５頁左欄第２３行）における「当該の場所と対応付けて表示」を「該当の場所と対応付けて表示」と訂正する。 
　
（７）訂正事項７ 
　誤記の訂正を目的として，明細書の段落【００３４】第８行乃至第９行（特許公報第６頁左欄第９行）における「登録した文字時情報」を「登録した文字情報」と訂正する。 
 　 
３　訂正の目的の適否，新規事項の有無及び拡張・変更の存否 
　上記訂正は，誤記の訂正を目的とし，当初明細書記載の範囲内であり，実質上特許請求の範囲を拡張し，又は変更するものではない。
　
　よって上記訂正事項１ないし７は，特許法１２０条の４第２項の規定，及び同３項で準用する同法１２６条２項及び３項の規定に適合するので，当該訂正を認める。
　 
第３　特許異議の申立てについて 
１　申立の理由の概要 
（１）申立人Ａは，特許第３３２７８８１号の請求項１ないし６に係る発明の特許に対して，後記項目Ａの刊行物を提出し，本件請求項１ないし６に係る発明の特許は特許法２９条１項，２項，同法１７条又は３６条の規定に違反してなされたものであるから，本件発明についての特許を取り消すべき旨主張している。
　
　Ａ　証拠
　　甲第１号証：特開平５−９４１２９号公報
　　甲第２号証：実願平１−１００９８１号の願書に添付された明細書及び　　　図面の内容を撮影したマイクロフィルム（実開平３−４２１８２号）
　　甲第３号証：特開平４−１５５４７４号公報
　　甲第４号証：特開平５−３０３３２８号公報
　　甲第５号証：「大阪ガスの導管情報の総合管理をめざしてマッピングシ　　　ステム」Ｖｏｌ．３７，Ｎｏ．２，測量，２５−３０頁１９８７
　　甲第６号証：「コンピュータマッピングシステムを応用した水道管路保　　　全システム」Ｖｏｌ．４７，ＮＯ．５，東芝レビュー，
　　　３７２−３７６頁，１９９２
　　甲第７号証：「総合データベースを実現するコンピュータマッピング」　　　ＩＩＳ−ＭＡＰ，ＮＯ．５４，ＰＩＸＥＬ，７１−７６頁１９８７
　　甲第８号証：平成１２年５月２２日付で提出された手続補正書
　　甲第９号証：本件の出願当初明細書及び図面
　　甲第１０号証：特願平７−１９８６３号の出願当初明細書及び図面
　　甲第１１号証：特開平８−１９４８３０号公報 
　
（２）申立人Ｂは，特許第３３２７８８１号の請求項１ないし６に係る発明の特許に対して，後記項目Ｂの刊行物を提出し，本件請求項１ないし６に係る発明の特許は特許法２９条２項，同法１７条又は３６条の規定に違反してなされたものであるから，本件発明についての特許を取り消すべき旨主張している。
　
　Ｂ　証拠
　　甲第１号証：特開平６−２７４１０２号公報
　　甲第２号証：特開平６−１４９１５２号公報
　　甲第３号証：特開平５−１３５１５２号公報
　　甲第４号証：特開平５−３１３５８０号公報
　 
第４　本件発明 
　特許第３３２７８８１号の請求項１ないし６に係る発明は，前記のように平成１６年６月１４日付けの訂正請求は認められたので，訂正明細書の特許請求の範囲の請求項１ないし６に記載された次の事項により特定されるとおりのものである。（以下，各請求項に係る発明を「本件発明１」などという。）
　
　「【請求項１】　地図画像が格納された電子地図情報システムと利用者が所有する既存データベースとを利用して，該既存データベースの文字情報と前記地図画像とを合成して表示する文字情報と地図画像の合成方法であって，下記のステップ（ａ）〜（ｄ）により，文字情報，数字情報のデータをつかさどる簡易データベースを前記電子地図情報システム内に持たずに，前記文字情報と前記地図画像との合成表示処理をすることを特徴とする文字情報と地図画像の合成方法。
（ａ）前記既存データベースの文字情報を付加する対象物の領域を前記地図画像上にて指定するステップ。
（ｂ）前記利用者が所有する既存のデータベースから抽出した文字情報群から成るテキスト形式のファイルを入力し，各文字情報を各対象物の領域情報と対応付けて文字情報記憶部に登録するステップ。
（ｃ）入力された文字情報を検索キーとして前記文字情報記憶部に登録された文字情報群を検索し，検索された文字情報に対応して登録されている前記対象物の領域情報に基づき前記地図画像上での当該対象物の位置を求めるステップ。
（ｄ）前記（ｃ）のステップにより求めた位置情報に基づき，当該対象物を含む地図画像を読み出して表示すると共に，前記検索された文字情報を前記当該対象物と関連付けて合成して表示するステップ。
【請求項２】　前記（ｂ）のステップは，文字情報を登録する際に，前記指定された一つの対象物に対して複数の異なる文字情報を対応付けて登録できると（「と」は脱字）共に，前記指定された複数の対象物に対して同一の文字情報を対応付けて登録できるようになっている請求項１に記載の文字情報と地図画像の合成方法。
【請求項３】　前記文字情報と共に利用者のイメージ情報を当該対象物の関連情報として付加できるようになっている請求項１又は２に記載の文字情報と地図画像の合成方法。
【請求項４】　前記電子地図情報システムが，受信した移動体の位置情報に基づき当該移動体の位置を地図の画像上に表示するシステムである請求項１乃至３のいずれか１項に記載の文字情報と地図画像の合成方法。
【請求項５】　前記地図画像が，地図，設計図，各種構造物の構造図を含む図形の画像である請求項１乃至４のいずれか１項に記載の文字情報と地図画像の合成方法。
【請求項６】　簡易データベースを持たない電子地図情報システムと利用者が所有する既存データベースとを連結してデータベース機能を強化するデータベース機能向上支援システムであって，請求項１乃至５のいずれか１項に記載の方法の発明を実現したことを特徴とするデータベース機能向上支援システム。」 
 　　 
第５　刊行物に記載された発明
１　申立人Ａが提示した甲第１号証刊行物である特開平５−９４１２９号公報（以下「刊行物１」という。）には，次の事項が記載されている。（摘記箇所は段落番号で表示）
　(１)　「本発明は，地図情報表示装置に関し，例えばナビゲーション装置にて好適なものである。」（段落【０００１】）
　
　(２)　「地図情報はＣＤ−ＲＯＭに記憶されており，車両の現在位置を含む地図がこのＣＤ−ＲＯＭから読み出されてモニタ上に表示される。この表示地図上には車両の現在位置も重ねて表示される。ここで車両の現在位置は，ＧＰＳ，ビーコン，地磁気検出器などを利用して表示地図上において逐次更新されて行く。ユーザは，モニタを見ることにより，車両の現走行位置をリアルタイムで知ることができる。」（段落【０００２】）
　
　(３)　「ユーザは表示地図上において，その施設が存在する位置をカーソルによって設定し，その後，その施設の名称などを文字，記号，アルファベットなどで入力することにより，その施設の位置と内容を装置に登録することができる。」（段落【０００３】）
　
　(４)　「１つは車両の現在位置を中心とした表示方法で，地図表示画面を車両の現在位置を中心とした地図表示画面に切り替え，この画面上にメモ情報を重ね表示する方法である。もう１つはメモ情報の施設の位置を中心とした表示方法で，地図表示画面を施設の位置を中心とした地図表示画面に切り替え，この画面上にメモ情報を重ね表示する方法である。」（段落【０００４】）
　
　(５)　「【００１０】メモ情報の登録は以下のようにして行う。上記のように所望領域の地図が表示されている状態において，まず装置本体の入力部７に配されたモード切り替えキーを操作することにより，装置をメモ情報登録モードに設定する。すると表示画面は，図３の右側の画面に示すように，表示されていた画面の中心位置にカーソルが，下部にタッチパネルとして機能するカーソル移動キー（矢印キー）および登録キーが付加された表示画面に切り替わる。ユーザは，かかる画面において，カーソル移動キーを操作することによってカーソルを登録したい施設の位置に移動し，その後，登録キーを操作する。以上の操作によって，登録したい施設の位置が決定される。尚，かかる施設の位置は，地図上における経度，緯度を示す座標情報に換算されて登録される。
【００１１】以上の操作が終了すると，表示画面は図３の左側の状態に切り替わる。かかる状態においては，表示画面は全てタッチパネルとして機能する。かかる画面において，ユーザはカーソルキー（矢印キー）を操作することによって文字列上における文字を選び，“情報”の位置に施設の内容を示す文字を入力する。ここで，各文字は，カーソルキーによって文字を選んだ後，文字キーを操作することによって入力できる。情報として英数を入力したいときには英数キーを操作し，画面上に文字列に代えて英数列を表示せしめ，この英数列から所望の英数を選ぶことによって行う。このようにして“情報”の入力が終了すると，次にユーザは記号キーを操作し，施設の位置を表示する際の施設の目印となる記号の入力に移る。かかる記号キーを操作すると，“記号”の位置に所定の記号が表示される。ユーザは，かかる記号以外の記号を目印として採用する場合には，カーソルキーの内上下方向のキーを操作し，“記号”の位置に表示される記号を変更する。かかる記号は，装置内のメモリ（図示せず）に記号列情報として記憶されており，上下のカーソルキーの操作によってこの記号列が順方向あるいは逆方向に順番に読み出されて“記号”の位置に順番に表示される。
【００１２】このようにして“情報”および“記号”の入力が終了すると，ユーザは設定キーを操作する。かかる設定キーの操作に応答してメモ情報の位置，内容および記号を示す各情報が図１における記憶回路４に互いに関連づけて記憶される。かかるメモ情報に関する記憶回路４のメモリマップを図４に示す。同図において，ｎはメモ情報の登録順序を示す。また座標情報は，前述したように，地図上における経度，緯度を示すものである。」
　
　(６)　「メモ情報を表示する場合，ユーザはかかるモード変更キーからメモキーを選択して操作する。かかるメモキーの操作に応答して表示画面は，図５の左上の画面，即ちメモ情報のリストを示す画面に切り替わる。かかる表示画面は，上述した如くして，図１の記憶回路４に記憶されたメモ情報を読み出すことによって映写される。ここでメモ情報のリストは，記憶回路４に登録された順番に映写される。ユーザはかかるリストから表示したメモ情報を選択しこれを入力する。メモ情報の選択の入力は，上記と同様タッチパネルによって行う。このようにしてメモ情報の指定がなされると，対応するメモ情報の施設位置が地図上に表示される。」（段落【００１３】）
　
　(７)　「【００１４】かかるメモ情報の表示について，図２のフローチャートに従って以下に説明する。上述した操作によりユーザがメモ情報を指定すると，まず指定されたメモ情報が記憶回路４から読み出されメモリ５にストアされる（ステップ１）。同時に車両の現在位置がメモリ５にストアされる（ステップ２）。次に，指定されたメモ情報に応じた施設の位置（登録地点）が，メモ情報指定前の表示地図上に存在するか否かが判別され（ステップ３），もし存在していればこの地図上に車両の現在位置とメモ情報の登録地点が重ねられた画面がモニタ上に表示される（ステップ７）。一方，指定されたメモ情報の登録位置がメモ情報指定前の表示地図上に存在しなければ，現在位置と登録地点の間の距離が算出され（ステップ４），かかる距離に応じて両位置が同一地図上に表示できるか否かが判別される（ステップ５）。」
　
第６　当審の判断
　本件出願の分割出願である特願２０００−１４９５３５号についての拒絶査定に対する不服審判の審決取消訴訟が平成１７年（行ケ）第１０３３０号として知的財産高等裁判所に係属し，平成１７年７月１９日に判決言渡しがあったので，この判決（以下，「１０３３０判決」という。）が本件の審理に直接拘束力を及ぼすことはないが，類似する技術内容及び一部同一の証拠を採用していることから，本件の判断においても同判決の趣旨を踏まえて判断を行う。
　
１　本件発明１について
　特許請求の範囲の請求項１の記載を分節して検討する。
　(１)　「地図画像が格納された電子地図情報システムと利用者が所有する既存データベースとを利用して，該既存データベースの文字情報と前記地図画像とを合成して表示する文字情報と地図画像の合成方法であって，」について検討する。
　ア　「地図画像が格納された電子地図情報システム」は，刊行物１に「地図情報はＣＤ−ＲＯＭに記憶されており，車両の現在位置を含む地図がこのＣＤ−ＲＯＭから読み出されてモニタ上に表示される」（段落【０００２】）との記載があるから，この点では両者に差異はない。
　イ　刊行物１では，「地図表示画面を施設の位置を中心とした地図表示画面に切り替え，この画面上にメモ情報を重ね表示する方法である」（段落【０００４】），「かかるメモ情報に関する記憶回路４のメモリマップを図４に示す」及び図４の記載から，既存データベースであるか否かは別として，刊行物１にも「文字情報と地図画像とを合成して表示する文字情報と地図画像の合成方法」が開示されているといえる。
　ウ　そうすると，この分節箇所における本件発明１と刊行物１に記載された発明とは，本件発明１が，利用者が所有する既存データベースの文字情報を用いているのに対し，刊行物１にはこの点の記載がない点，を別として，他の要件に相違は認められない。
　
　(２)　「下記のステップ（ａ）〜（ｄ）により，」とあるから，まず，（ａ）のステップである「（ａ）前記既存データベースの文字情報を付加する対象物の領域を前記地図画像上にて指定するステップ。」について検討する。
　ア　刊行物１には「カーソル移動キーを操作することによってカーソルを登録したい施設の位置に移動し，その後，登録キーを操作する。」（段落【００１０】）ことが記載されているから，施設が本件発明１の「対象物」に相当し，地図上に表された施設は一定の面積を有しているのが当然であるから，「対象物の領域を地図画像上にて指定する」ステップを有しているといえる。
　また，刊行物１には，「ユーザはカーソルキー（矢印キー）を操作することによって文字列上における文字を選び，“情報”の位置に施設の内容を示す文字を入力する」（段落【００１１】）ことが開示されているから，本件発明１の対象物に「利用者の文字情報を付加する」ことが刊行物１記載の発明に示されていることが分かる。
　イ　そうすると，（ａ）のステップは，前記(１)と同じ相違部分を別として，刊行物１に示されていることとなる。
　
　(３)　「（ｂ）前記利用者が所有する既存のデータベースから抽出した文字情報群から成るテキスト形式のファイルを入力し，各文字情報を各対象物の領域情報と対応付けて文字情報記憶部に登録するステップ。」について検討する。
　ア　刊行物１の，「ユーザはカーソルキー（矢印キー）を操作することによって文字列上における文字を選び，“情報”の位置に施設の内容を示す文字を入力する。」（段落【００１１】），「このようにして“情報”および“記号”の入力が終了すると，ユーザは設定キーを操作する。かかる設定キーの操作に応答してメモ情報の位置，内容および記号を示す各情報が図１における記憶回路４に互いに関連づけて記憶される。かかるメモ情報に関する記憶回路４のメモリマップを図４に示す。」（段落【００１２】）記載から，刊行物１には「各文字情報を各対象物の領域情報と対応付けて文字情報記憶部に登録するステップ」を備えていることが分かり，文字情報が既存のデータベースから抽出したものであるか否かは別として，刊行物１には，その図４から明らかなように文字情報群からなるテキスト形式のファイルが記憶されることが示されている。
　イ　そうすると，この（ｂ）のステップにおける本件発明１と刊行物１に記載された発明とは，前記(１)と同様，本件発明１が，利用者が所有する既存データベースの文字情報を用いているのに対し，刊行物１にはこの点の記載がない点，で相違が認められる。
　
　(４)　「（ｃ）入力された文字情報を検索キーとして前記文字情報記憶部に登録された文字情報群を検索し，検索された文字情報に対応して登録されている前記対象物の領域情報に基づき前記地図画像上での当該対象物の位置を求めるステップ。」について検討する。
　ア　刊行物１では，メモ情報を表示する場合は，「ユーザはかかるリストから表示したメモ情報を選択しこれを入力する。メモ情報の選択の入力は，上記と同様タッチパネルによって行う。このようにしてメモ情報の指定がなされると，対応するメモ情報の施設位置が地図上に表示される。」（段落【００１３】）ことから，入力されたメモ情報はテキスト形式のファイルであり，「リストから表示したメモ情報を選択しこれを入力する」ことにより「対応するメモ情報の施設位置が地図上に表示される」から，メモ情報は検索キーの役割を果たしていることは当業者には容易に理解できる。
　イ　そうすると，リストから表示したメモ情報を選択しこれを入力することにより，対応するメモ情報の施設位置が地図上に表示されることから，当該（ｃ）のステップは，刊行物１に示されているといえる。
　ウ　なお，検索に際し，記憶部に登録されているデータを検索の対象とすることは，検索の常識である。
　
　(５)　「（ｄ）前記（ｃ）のステップにより求めた位置情報に基づき，当該対象物を含む地図画像を読み出して表示すると共に，前記検索された文字情報を前記当該対象物と関連付けて合成して表示するステップ。」について検討する。
　ア　刊行物１には，「地図表示画面を施設の位置を中心とした地図表示画面に切り替え，この画面上にメモ情報を重ね表示する方法である」（段落【０００４】）とあるように，メモ情報と施設の位置を関連づけて重ね表示していることから，ステップ（ｄ）は刊行物１に開示されている技術である。
  　
　(６)　「文字情報，数字情報のデータをつかさどる簡易データベースを前記電子地図情報システム内に持たずに，前記文字情報と前記地図画像との合成表示処理をすることを特徴とする文字情報と地図画像の合成方法」について検討する。
　ア　刊行物１には，「地図情報はＣＤ−ＲＯＭに記憶されており」とあり，図１に地図情報を記憶したＣＤ−ＲＯＭを再生して所望の地図情報を取り出す地図生成回路２とは別に，ユーザによる入力に応答し，所望設備の情報及び地図上におけるその設備の位置を関連づけて記憶する記憶回路４を備え，そのメモリマップが図４に示されていることから，文字情報を有するデータベースは地図情報システムであるＣＤ−ＲＯＭ内に持たない，ということができることは，当業者に明らかである。
　文字情報に加え数字情報と限定することは，データベースとして両者は特に区別して用いる必要性はなく，明細書中にも格別な技術的意義は見いだせない。
　さらにデータベースを簡易データベースと表現することは，単にデータ項目あるいはデータ量が少ないことを明示するにとどまるから，当業者が任意に決定しうる事項と認められ，この点になんら技術的特徴は見いだせない。
　イ　そうすると，文字情報と地図画像を合成表示することは前述のとおりであるから，この箇所の特定に刊行物１に記載された発明との相違は認められない。
　
　(７)　一致点，相違点
　以上の検討から，本件発明１と刊行物１記載の発明との一致点及び相違点は次のとおりである。
　ア　一致点
　地図画像が格納された電子地図情報システムと，文字情報と前記地図画像とを合成して表示する文字情報と地図画像の合成方法であって，下記のステップ（ａ）〜（ｄ）により，文字情報，数字情報のデータをつかさどる簡易データベースを前記電子地図情報システム内に持たずに，前記文字情報と前記地図画像との合成表示処理をすることを特徴とする文字情報と地図画像の合成方法。
（ａ）文字情報を付加する対象物の領域を前記地図画像上にて指定するステップ。
（ｂ）文字情報群から成るテキスト形式のファイルを入力し，各文字情報を各対象物の領域情報と対応付けて文字情報記憶部に登録するステップ。
（ｃ）入力された文字情報を検索キーとして前記文字情報記憶部に登録された文字情報群を検索し，検索された文字情報に対応して登録されている前記対象物の領域情報に基づき前記地図画像上での当該対象物の位置を求めるステップ。
（ｄ）前記（ｃ）のステップにより求めた位置情報に基づき，当該対象物を含む地図画像を読み出して表示すると共に，前記検索された文字情報を前記当該対象物と関連付けて合成して表示するステップ。
　
　イ　相違点
　本件発明１では，文字情報は，利用者が所有する既存のデータベースを利用しているのに対し，刊行物１には係る点が開示されていない点。
　
　(８)　相違点についての当審の判断
　「既存データベース」の用語は，請求項１には，「利用者が所有する既存データベースとを利用して，該既存データベースの文字情報と前記地図画像とを合成して表示する」とあり，「既存データベースの文字情報を付加する」，及び「既存のデータベースから抽出した文字情報群から成るテキスト形式のファイルを入力し」との記載がある。
　これらの記載からは「既存データベース」が文字情報を有することは認められるが，データベースが文字情報を有することは当然のことであることから，「既存データベース」の用語の意味するところが明らかでない。
　そこで，本件出願当初の明細書をみると，段落【０００６】に「利用者特有の情報を利用者自身が作成して利用者データベースに格納しておくなど，独自のユーザデータベースを構築していることが多い。」とあり，「利用者は，作画して指定した場所に対し，その場所を管理するための任意の文字情報を入力装置１から入力する。入力装置１を介してユーザデータベースＤＢ等から入力された文字情報は，文字情報登録手段３２によって情報記憶部４内の文字情報記憶部４２に登録される。」（段落【００１３】）との記載がある。
　これらの記載によれば，本件発明１において「既存データベース」の用語の意味するところは，「利用者が作成した情報を格納したもの」とみることができ，このように解しても他の記載と矛盾することはない。
　そこで，刊行物１をみるに，段落【００１０】ないし段落【００１２】に記載されたメモ情報の登録は，「文字列上における文字を選び，“情報”の位置に施設の内容を示す文字を入力する」ことで，図４に示されるメモリマップのように記憶されることから，刊行物１記載の発明は，「利用者が作成した情報を格納したもの」すなわち，データベースを備えており，登録後は，「ユーザはかかるリストから表示したメモ情報を選択しこれを入力する。メモ情報の選択の入力は，上記と同様タッチパネルによって行う。このようにしてメモ情報の指定がなされると，対応するメモ情報の施設位置が地図上に表示される」（段落【００１３】）ことから，リストに表示されるユーザ独自のデータベースが本件発明１の「既存データベース」に対応するとみることができる。
  　
　そして，入力するテキスト形式のファイルが，既存のデータベースから抽出したもの，言い換えれば文字情報が既存データベースに格納されていた情報であることは，刊行物１記載の発明の文字情報も，「メモ情報」と記載されているように利用者のデータベースとして登録することができるものであるから，当該相違点は当業者が適宜実施し得るものにすぎない。
　
　この点については，１０３３０判決では次のとおり判示がなされており，上記当審の判断と齟齬をきたすものではない。
　同判決では，刊行物１（判決では「引用例１」）の段落【００１０】ないし【００１２】を引用し，「(イ)　これらの記載によれば，引用例１記載の発明のメモ情報も，本願発明と同様に，入力装置を用いて入力され，記憶回路に登録して図形情報との対応付けがとられるものであると認められる。
　ウ　そうであれば，本願発明の「既存データベースとの関連」と引用例１記載の発明の「文字情報の登録」とは，入力装置を用いて入力し，記憶部に登録して図形情報との対応付けをとるという点で一致するものであり，本願発明における文字情報は，単に，既存データベースに格納されていた情報であるというにすぎないから，本願発明と引用例１に記載された発明とが基本的に相違するということはできない。」（同判決第４　１(１)ア(イ)及びウ）と判示し，さらに，
「(3)　相違点３について
　ア　「既存データベースとの関連」について
　(ア)　本願発明の「既存データベースとの関連」と引用例１記載の発明の「文字情報の登録」とは，上記１(1)ウのとおり，本願発明における文字情報が既存データベースに格納されていた情報であることを除き，入力装置を用いて入力し，記憶部に登録して図形情報との対応付けをとるという点で一致する。そして，引用例１記載の発明の文字情報も，「メモ情報」と記載されているように，利用者のデータベースとして登録することができるものであるから，引用例１記載の発明において，画像上において指定された登録したい施設の座標情報を文字情報と対応して登録するときに，既存データベースに記憶されている文字情報を用いて，その文字情報を，対象物の座標情報に対応させて付与した管理コードにより対応付けて登録するようにすることは，当業者が容易に考えるものであるといわなければならない。」（同判決第４　２（３）ア(ア)）
　
　(９)　まとめ
　以上のとおり，分節して検討した各項目はいずれも刊行物１に記載された発明に基づいて当業者であれば容易に想到し得るものであり，全体としてみても当業者が格別推考力を要した点は認められず，効果についても，当業者が予測し得ない格段の技術的効果は認められない。
　したがって，本件発明１は刊行物１に記載された発明に基づいて当業者が容易に発明をすることができたものであるから，本件発明１は，特許法２９条２項の規定に違反してされたものである。
　
２　本件発明２について
　(１)　本件発明２は次のとおりである。
　「【請求項２】　前記（ｂ）のステップは，文字情報を登録する際に，前記指定された一つの対象物に対して複数の異なる文字情報を対応付けて登録できると共に，前記指定された複数の対象物に対して同一の文字情報を対応付けて登録できるようになっている請求項１に記載の文字情報と地図画像の合成方法。」
　
　(２)　刊行物の記載
　申立人Ｂが提示した甲第３号証である「図形対応データ表示システム」と題する特開平５−１３５１５２号公報（以下「刊行物２」という。）には次の記載がある。
　ア　「【００２４】２のデータ識別名情報部には，データ識別名についての情報が格納され，図形領域と対応付けたデータ識別名の数だけ作成される。複数のデータ識別名を一つの図形領域と対応付けたときには，データ識別名情報部に登録された全データ識別名の何番目と何番目が対応付けられたかを検索する。
【００２５】３の図形領域情報部には，図形領域に関する情報が格納され，データ識別名に対応付けた図形領域の数だけ作成される。あるデータ識別名に複数の図形領域を対応付けたときには，図形領域情報部に登録された全領域識別名の何番目と何番目が対応付いているかを検索する。」
　
　(３)　当審の判断
　複数のデータ識別名が一つの図形領域と対応付けて登録すること，及びその逆の態様が刊行物２に開示されていることが認められるから，本件発明２の「指定された一つの対象物に対して複数の異なる文字情報を対応付けて登録できるると共に，前記指定された複数の対象物に対して同一の文字情報を対応付けて登録できるようになっている」との構成を本件発明１に付加し，本件発明２に想到することは当業者であれば容易に推考できたものと認められる。
　
３　本件発明３について
　(１)　本件発明３は次のとおりである。
　「【請求項３】　前記文字情報と共に利用者のイメージ情報を当該対象物の関連情報として付加できるようになっている請求項１又は２に記載の文字情報と地図画像の合成方法。」
　本件発明３は，本件発明１又は２に加え，「前記文字情報と共に利用者のイメ−ジ情報を当該対象物の関連情報として付加できるようになっている」点を構成要件とするものである。
　
　(２)　刊行物１には，「かかる設定キーの操作に応答してメモ情報の位置，内容および記号を示す各情報が図１における記憶回路４に互いに関連づけて記憶される。」（段落【００１２】）とあり，文字情報であるメモ情報と関連づけて記号が付加できるようなっている。
　記号としては，コードとしての形態と同様，イメージとしての形態も当業者に自明の事項であるから，記号の形態は，当業者が適宜選択できるものと認められ，付加する情報がイメージであることを特定した点に当業者が格別推考力を要したとは認められない。
　したがって，本件発明３は，刊行物１及び２に記載された発明に基づいて当業者であれば容易に想到し得るものである。
　
４　本件発明４について
　(１)　本件発明４は次のとおりである。
　「【請求項４】　前記電子地図情報システムが，受信した移動体の位置情報に基づき当該移動体の位置を地図の画像上に表示するシステムである請求項１乃至３のいずれか１項に記載の文字情報と地図画像の合成方法。」
　本件発明４は，本件発明１ないし３のいずれかに加え，「電子地図情報システムが，受信した移動体の位置情報に基づき当該移動体の位置を地図の画像上に表示する」点を構成要件とするものである。
　
　(２)　当該構成は，刊行物１に「本発明は，地図情報表示装置に関し，例えばナビゲーション装置にて好適なものである。」（段落【０００１】）と明記されているように，刊行物１が備えている事項であり，本件発明４になんら進歩性は認められない。
　
５　本件発明５について
　(１)　本件発明５は次のとおりである。
　「【請求項５】　前記地図画像が，地図，設計図，各種構造物の構造図を含む図形の画像である請求項１乃至４のいずれか１項に記載の文字情報と地図画像の合成方法。」
　本件発明５は，本件発明１ないし４のいずれかに加え，「地図画像が，地図，設計図，各種構造物の構造図を含む図形の画像である」点を構成要件とするものである。
  　
　(２)本件発明５における「設計図，各種構造物の構造図を含む図形」との限定は，地図と並列に記載され，設計図や構造図に特有の構成は記載されておらず，当業者であれば他の図形に応用できることを単に示しているにとどまり，刊行物１記載の発明に比して，本件発明５になんら進歩性は認められない。
　
６　本件発明６について
　(１)　本件発明６は次のとおりである。
　「【請求項６】　簡易データベースを持たない電子地図情報システムと利用者が所有する既存データベースとを連結してデータベース機能を強化するデータベース機能向上支援システムであって，請求項１乃至５のいずれか１項に記載の方法の発明を実現したことを特徴とするデータベース機能向上支援システム。」 
　本件発明６は，本件発明１ないし５のいずれかに記載の方法の発明を実現するシステムの発明として表現した「データベース機能向上支援システム」である点を構成要件とするものである。
　
　(２)　本件発明６の，電子地図情報システムと利用者が所有する既存データベースとを連結して文字情報と地図情報を合成表示することは，本件発明１で検討したとおり，当業者が容易に実施できたものである。
　また，「既存データベース機能を強化するデータベース機能向上支援システム」についても，刊行物１の段落【００１０】ないし【００１２】に記載されたメモ情報の登録は，「文字列上における文字を選び，“情報”の位置に施設の内容を示す文字を入力する」ことで，図４に示されるメモリマップのように記憶されることから，刊行物１記載の発明は，「利用者が作成した情報を格納したもの」すなわち，データベースを備えており，登録後は，段落【００１３】に「ユーザはかかるリストから表示したメモ情報を選択しこれを入力する。メモ情報の選択の入力は，上記と同様タッチパネルによって行う。このようにしてメモ情報の指定がなされると，対応するメモ情報の施設位置が地図上に表示される。」ことから，リストに表示されるユーザ独自のデータベースが「既存データベース」に相当するといえることは，本件発明１でも検討したとおりである。
　そして，このデータベースの機能を向上するために，刊行物１記載の発明においても本件発明６と同様に文字情報と対象物を関連付けて表示しているから，本件発明６の構成は単に表現上システムとしたものにすぎず，当業者が容易に想到し得るものである。
　
第７　むすび
　したがって，異議申立の他の理由について検討するまでもなく，本件請求項１ないし６に係る発明の特許は，刊行物１及び２に記載された発明に基づいて当業者が容易に発明できたものであり，特許法２９条２項の規定に該当し，拒絶の査定をしなければならない特許出願に対してされたものと認める。 
　よって，特許法等の一部を改正する法律（平成６年法律第１１６号）附則１４条の規定に基づく，特許法等の一部を改正する法律の施行に伴う経過措置を定める政令（平成７年政令第２０５号）４条２項の規定により，結論のとおり決定する。
【異議決定日】
平成１７年１１月１５日（２００５．１１．１５）
【訂正の要旨】
審決（決定）の【理由】欄参照。
（５４）【発明の名称】
文字情報と地図画像の合成方法及びデータベース機能向上支援システム
（５７）【特許請求の範囲】
　【請求項１】地図画像が格納された電子地図情報システムと利用者が所有する既存データベースとを利用して、該既存データベースの文字情報と前記地図画像とを合成して表示する文字情報と地図画像の合成方法であって、下記のステップ（ａ）〜（ｄ）により、文字情報，数字情報のデータをつかさどる簡易データベースを前記電子地図情報システム内に持たずに、前記文字情報と前記地図画像との合成表示処理をすることを特徴とする文字情報と地図画像の合成方法。
　（ａ）前記既存データベースの文字情報を付加する対象物の領域を前記地図画像上にて指定するステップ。
　（ｂ）前記利用者が所有する既存のデータベースから抽出した文字情報群から成るテキスト形式のファイルを入力し、各文字情報を各対象物の領域情報と対応付けて
文字情報記憶部
　（ｃ）入力された文字情報を検索キーとして前記
文字情報記憶部
　（ｄ）前記（ｃ）のステップにより求めた位置情報に基づき、当該対象物を含む地図画像を読み出して表示すると共に、前記検索された文字情報を前記当該対象物と関連付けて合成して表示するステップ。
　【請求項２】前記（
ｂ
　【請求項３】前記文字情報と共に利用者のイメージ情報を当該対象物の関連情報として付加できるようになっている請求項１又は２に記載の文字情報と地図画像の合成方法。
　【請求項４】前記電子地図情報システムが、受信した移動体の位置情報に基づき当該移動体の位置を地図の画像上に表示するシステムである請求項１乃至３のいずれか１項に記載の文字情報と地図画像の合成方法。
　【請求項５】前記地図画像が、地図，設計図，各種構造物の構造図を含む図形の画像である請求項１乃至４のいずれか１項に記載の文字情報と地図画像の合成方法。
　【請求項６】簡易データベースを持たない電子地図情報システムと利用者が所有する既存データベースとを連結してデータベース機能を強化するデータベース機能向上支援システムであって、請求項１乃至５のいずれか１項に記載の方法の発明を実現したことを特徴とするデータベース機能向上支援システム。
【発明の詳細な説明】
　【０００１】
　【産業上の利用分野】
　本発明は、地図，設計図，各種構造物の構造図などの図形の画像情報を処理対象として、文字情報と画像とを合成して表示する方法及びそのシステムに関し、特に、地図画像が格納された電子地図情報システムと利用者が所有する既存データベースとを利用して、既存データベースの文字情報と上記地図画像とを合成して表示し得るようにした文字情報と地図画像の合成方法及びデータベース機能向上支援システムに関する。
　【０００２】
　【従来の技術】
　データベースなどに格納されている図形情報の一部の情報を得たり表示装置に表示したりする場合、従来は、例えば、その情報或いはその情報を含む情報に対して予め検索キーを設定しておき、その検索キーから当該情報を得るようにしていた。例えば、地図に関する属性情報をコンピュータを利用して解析するシステム、いわゆる“地図情報システム（ＧＩＳ：Ｇｅｏｇｒａｐｈｉｃａｌ　Ｉｎｆｏｒｍａｔｉｏｎ　Ｓｙｓｔｅｍ）”では、検索キーを指定して所望の情報を得ることにより、地形図に付随する情報を解析できるようになっている。
　【０００３】
　また、設備（施設）と地図上での位置情報とを関連づけて管理するシステム、いわゆる“ＦＭ（Ｆａｃｉｌｉｔｙ　Ｍａｎａｇｅｍｅｎｔ）”は、交通管制や配電管理などに使用され、地形図をインデックスにして施設の検索を高速で行なえるようになっている。ＦＭで管理する設備情報は、道路，上下水道，電話・電力・ガス・鉄道及びプラントなどがあり、ＦＭの構築例としては、ＮＴＴ（日本電信電話株式会社）の「電話設備管理設計システム」や東京ガスの「Ｔｏｔａｌｍａｐｐｉｎｎｇ　Ｓｙｓｙｔｅｍ」が挙げられる。
　【０００４】
　また、地図を画面上に表示して、指定場所に対する関連情報を表示させるようにした他の例としては、いわゆる“ナビゲーション・システム”がある。ナビゲーション・システムでは、自動車に搭載した精密なジャイロセンサで進む方向を知り、それと車速センサで走行距離を出して組み合わせ、地図上の自車マークを動かそうとする方式（自立航法）が従来より知られている。また、最近では、衛星，地磁気センサ，道路脇のサインポストのいずれか、或いはそれらを組み合わせて自動車に位置情報を送り、この位置情報を車内のＣＤ（コンパクト・ディスク）に収容してある地図データベースと突き合わせ、現在地の地図を自動的にディスプレイに映し出し、地図上に自分の車の位置を自動表示するようにしたナビゲーション・システムが実現されている。
　【０００５】
　このようなナビゲーション・システムでは、目的地を示す矢印の表示や経由地を表わす旗表示を通過順ごとに色分けて表示するものや、音声で案内するものがある。また、地図の検索機能を備えており、表示画面上のポンイト観光名所や都市名或いは住所や電話番号を、出発地や目的地の検索キーとして入力すれば、その所在地が検索された当該部分を含む地図が表示されるようにしたものも実現されている。
　【０００６】
　【発明が解決しようとする課題】
　ところで、最近では情報源が多様化し、所望の情報をネットワークを介して取り込んだり、ＣＤ−ＲＯＭ等の光ディスクから得たりなど、様々な情報を色々な形で入手することができる。また、利用者特有の情報を利用者自身が作成して利用者データベースに格納しておくなど、独自のユーザデータベースを構築していることが多い。しかしながら、上述した従来の地図情報システム、ＦＭ、ナビゲーション・システムなどの情報検索システムにおいては、図形・画像に関連する属性情報や検索キーは予め設定されており、利用者が持っている情報を利用することができなかった。例えば、地図，設計図，各種の構造図などの図形・画像に対して利用者の各種データベースの情報を関連づけて付加したい場合、付加する手段が存在しなかった。また、地図などの図形・画像に対し、該当の場所に関連する利用者の情報を合成して表示したり、利用者の設定情報をキーとして該当の場所を検索したりすることができなかった
。
　【０００７】
　本発明は上述した事情から成されたものであり、本発明の目的は、地図画像の任意の位置に対して、利用者が所有する既存の各種データベースの情報を関連づけて付加することができる文字情報と地図画像の合成方法及びデータベース機能向上支援システムを提供することにある。さらに、本発明の他の目的は、付加した文字情報を検索キーとして図形・画像の当該位置を検索して所望の画像を表示できる文字情報と地図画像の合成方法及びデータベース機能向上支援システムを提供することにある。
　【０００８】
　【課題を解決するための手段】
　本発明は、地図画像が格納された電子地図情報システムと利用者が所有する既存データベースとを利用して、該既存データベースの文字情報と前記地図画像とを合成して表示する文字情報と地図画像の合成方法及びデータベース機能向上支援システムに関するものであり、本発明の上記目的は、文字情報と地図画像の合成方法の発明に関しては、下記のステップ（ａ）〜（ｄ）、すなわち、（ａ）既存データベースの文字情報を付加する対象物の領域を前記地図画像上にて指定するステップ；（ｂ）前記利用者が所有する既存のデータベースから抽出した文字情報群から成るテキスト形式のファイルを入力し、各文字情報を各対象物の領域情報と対応付けて
文字情報記憶部
文字情報記憶部
　【０００９】
　さらに、前記（
ｂ
　【００１０】
　【作用】
　本発明にあっては、対象となる画像上の任意の領域に対し、その場所に関連する任意の文字情報を付加させることができ、独自の情報システムを容易に構築することが可能になると共に、付加した文字情報を検索キーとして画像上での当該位置を求めることができるので、利用者の設定情報をキーとして該当の場所を検索する情報検索システムを容易に構築することが可能となる。また、地図データベースと既存データベースとを連結する管理テーブルの登録情報に基づいて合成処理するようにしているので、地図情報システムと利用者の各種データベースとを完全に分離させ、且つ簡易データベースを持たずに、文字情報と地図画像との合成表示処理をすることが可能となる。さらに、テキスト形式で対応するようにしているので、他のアプリケーションシステムの全てのデータベース（利用者の各種データベース）との連携を図ることができる。
　【００１１】
　【実施例】
　グラフイックツールには、大きく分けて“ペイントツール”と“ドローツールの２つに分けられる。ペイントツールとはキャンパス上に図形を埋め込んで画像を作成していくツールであり、埋め込んだ図形はキャンパス上の画素に同化し、作画を取り消す以外は埋め込んだ図形に対する操作ができない。一方、ドローツールとは、キャンパス上に図形を配置して画像を作成していくツールであり、配置した図形は、移動，更新，削除などの操作を行なうことができる。ドローツールで操作ができる原因として、一つ一つの図形がその種類と配置位置を情報として持っていることが挙げられる。本発明では、このことを利用し、画像の任意の位置及び領域について関連する情報を付加する手段、及び、付加した関連情報を検索キーとして画像の当該位置を検索する手段を提案する。
　【００１２】
　以下、図面に基づいて本発明の実施例について詳細に説明する。図１は、本発明に係る文字情報と画像の合成装置の主要部の構成例を示すブロック図であり、同図を参照して本発明の概要を説明する。同図において、地図，設計図，各種の構造図などの図形・画像情報は、画像ファイル５に格納されている。この図形・画像は、表示装置２に表示され、利用者は、キーボードやマウス、ライトペン等の操作手段を有する入力装置１を用いて、画像上の所望の位置をその領域を囲む図形を作画して指定する。作画された図形の情報は、中央処理部３内の図形情報登録手段３１によって、情報記憶部４内の図形情報記憶部４１に登録される。
　【００１３】
　利用者は、作画して指定した場所に対し、その場所を管理するための任意の文字情報を入力装置１から入力する。入力装置１を介してユーザデータベースＤＢ等から入力された文字情報は、文字情報登録手段３２によって情報記憶部４内の文字情報記憶部４２に登録される。登録された図形情報と文字情報との対応は、情報記憶部４内の管理テーブル４３に登録されて管理される。上記文字情報は、一つの場所に対して複数登録することができ、また、複数の場所に対して同一の文字情報を登録することができる。
　【００１４】
　さらに、利用者が登録した文字情報を検索キーとして、画像上の対応する位置を検索することができるようになっており、検索指示がされると、中央処理部３内の画像位置検索手段３３によって当該文字情報に対応して登録されている図形情報が検索され、図形情報に基づき画像上での当該位置が算出される。そして、中央処理部３内の表示制御手段３４によって、当該位置を含む画像が表示装置に表示される。このように、同図の装置は、関連情報の付加機能の他に、登録した文字情報を検索キーとして画像上での位置を求める検索機能を備えている。
　【００１５】
　このような構成において、本発明に係る文字情報と画像の合成方法を図
２
　【００１６】
　まず、利用者は、図５（Ａ）に示すように、情報を付加したい場所Ｐ１が含まれる地図の部分、例えば、図４の画像部Ｆ１の部分を背景画像として表示装置２の表示部２ａに表示する（ステップＳ１１）。次に、利用者は、図５（Ｂ）に示すように、表示された画像上の該当の場所Ｐ１を、その領域を囲む図形Ｇ１を作画して指定する（ステップＳ１２）。
　【００１７】
　該当の場所Ｐ１が指定されると、中央処理部３内の図形情報登録手段３１は、作画された図形Ｇ１の作画情報と共に、画像上の座標値を図形情報として図形情報記憶部４１に記憶する。例えば、図６に示すように、表示装置２の表示領域が幅４００ドット，高さ２００ドットと仮定すると、図形の表示領域の左上隅の座標値（１８０，１１０）を表示画像部の画像ファイル上での位置情報と共に、図形Ｇ１の座標情報として記憶する（ステップＳ１３）。
　【００１８】
　続いて、利用者は、該当の場所Ｐ１に関連する文字情報の登録指示を行なう。図７は、関連情報をキーボード等から直接入力する場合の登録画面の一例を示しており、登録したい関連情報（＝検索キー情報：本発明では、当該文字情報が該当の場所Ｐ１の検索キーとなる）を、表示部２ａ内のテキストボックスＷａの中に入力する。関連情報としては、例えば、地図の当該部分Ｐ１の住所を示す文字列「〜町〜丁目ｘｘｘ」や顧客情報等、その場所を管理するための情報を表わす任意の文字列を入力する。同図において、図形Ｇ１に対する検索キーＫＥＹＧ１２を入力した後、追加ボタンを指示すると、検索キーＫＥＹＧ１２が登録され、図形Ｇ１に対する登録済み検索キー情報一覧を示す表示ウインドウＷｂ内（同図では、ＫＥＹＧ１１が既に登録済みの状態）に追加表示される（ステップＳ１４）。
　【００１９】
　関連情報が入力され、利用者により登録指示がされると、文字情報登録手段３２では、該当の図形情報と文字情報との対応付けを行ない、文字情報を文字情報記憶部４２に登録する。図８は、情報記憶部４の構成例を示しており、管理テーブル４３は、図形情報記憶部４１に登録されている各図形情報の管理情報と、文字情報記憶部４２に登録されている文字情報群のリンク情報とから構成される。
　【００２０】
　ここで、図８を参照して図形情報と文字情報との対応付けの方法の具体例を説明すると、まず、図形情報登録手段３１が各図形情報Ｇ１，Ｇ２，Ｇ３を図形情報記憶部４１に登録するときに、管理コードＫ１，Ｋ２，Ｋ３を付与し、管理コードと図形情報の格納アドレスＧ１ａ，Ｇ２ａ，Ｇ３ａを管理テーブル４３に登録する。そして、文字情報登録手段３２が文字情報ＫＥＹＧ１１〜ＫＥＹＧ３２を登録するときに、該当の図形情報に対応する管理コードと共に文字情報を文字情報記憶部４２に登録する。
　【００２１】
　同図の例では、図形情報Ｇ１に対応する文字情報がＫＥＹＧ１１，ＫＥＹＧ１２、図形情報Ｇ２に対応する文字情報がＫＥＹＧ
２１
　【００２２】
　同一の図形に対して付加する情報が他に有る場合は、ステップ１４に戻って処理を繰り返し（ステップＳ１６）、また、地図上の他の場所に対して文字情報を付加する場合は、ステップＳ１１（表示画像上に存在する場合はステップＳ１２）に戻って処理を繰り返す（ステップＳ１７）。そして、付加する情報が存在しなければ登録処理を終了する。なお、上記の手順では、図形情報の登録に続いて文字情報を登録する手順としたが、図形情報を全て登録した後、すなわち、対象となる場所を全て指定した後に、該当の図形を選択して文字情報をそれぞれ登録することもできる。
　【００２３】
　上記の手順により、図形の情報と地図上の位置を表わす文字情報とを関連付けることができるので、任意の位置を検索する場合には、その場所を表わす文字情報（関連情報）を検索し、その文字情報が関連付けられている図形情報からその場所を表わす画像上での位置を求めることができる。
　【００２４】
　検索の操作には、単一の検索キーを指定する「文字列指定」の操作と、複数の検索キーを指定する「ファイル指定」とがある。先ず、「文字列指定」がされた場合の検索手順について説明する。利用者により「文字列指定」の検索コマンドが指定されると、表示制御手段３４では、図９（Ａ）に示すような案内画面を表示部２ａに表示する。利用者は、表示部２ａ内のテキストボックスＷａに検索キーを入力し、検索ボタンを指示する。検索ボタンが指示されると、画像位置検索手段３３では、文字情報記憶部４２に登録されている検索キーを検索し、登録されていれば、管理テーブル４３を参照して対応する図形情報を図形情報記憶部４１から読み込む。
　【００２５】
　そして、図形情報に基づいて画像上での当該位置を求め、画像ファイル５から該当の画像情報を読み込む。表示制御手段３４では、図９（Ｂ）に示すように、当該位置Ｐ１が表示画面上の所定の位置（例えば表示部２ａ内の表示ウインドウの中央部）に配置されるように、表示領域を調整して地図の画像を表示する。その際、表示制御手段３４は、図形Ｇ１の領域内を反転表示して該当の場所を明示する。ここで、該当の場所は、図形Ｇ１を合成して表示、或いは領域内を背景画像と異なる色で表示することで明示するようにしても良い。また、文字情報を別ウィンドウでなく、同一ウィンドウ内に
該当
　【００２６】
　なお、同一の検索キーが画像上の複数の場所に対して登録されている場合は、「次を検索」の指示がされる毎に上記の検索動作が繰り返され、該当の画像が順次表示される。表示される順序は登録順であるが、変更指示によって任意の順序に変更することができる。
　【００２７】
　次に、「ファイル指定」による検索手順、すなわち、複数の文字情報（検索キー情報）を指定して当該位置を順次検索する手順を具体例を示して説明する。例えば、図１０（Ａ）に示すような、データ（文字情報群）が格納されたユーザデータベースＤ１があり、同図において、それぞれ“ＫＥＹＡ”〜“ＫＥＹＥ”が、画像位置の関連情報となる文字情報であると仮定する。この場合は、先ず利用者は、データベースで管理しているデータの中から検索キーの部分ＫＥＹＡ，ＫＥＹＢ，……，ＫＥＹＥだけを抽出し、例えば同図（Ｂ）に示すように、改行データを区分情報としてテキストファイルＴＸ１に出力する。
　【００２８】
　利用者は、「ファイル指定」の検索コマンドを指示し、テキストファイルＴＸ１のファイル名を入力（或いは既に登録されているファイル名を一覧表の中から選択）して検索指示を行なう。ファイル名が入力されると、画像位置検索手段３３では、テキストファイルＴＸ１から文字情報群を読み込み、区分情報で区分された各データを各検索キーと見なし、同図（Ｃ）に示すように、文字情報記憶部４２に展開する。ここで、上記のようにテキストファイルから文字情報記憶部４２に作成した、検索する画像上の位置を表わす文字情報群を「検索キー情報」と呼び、作画した図形に対して付加した文字情報群、すなわち、図８に示したように、管理コードが付与されて登録処理が成されている文字情報群を「登録済みキー情報」と呼ぶ。
　【００２９】
　続いて、「ファイル指定」による検索開始指示がされた場合の検索処理について、図３のフローチャートを用いて説明する。ここで、テキストファイルＴＸ１で指定された検索キーには、登録済みのものと、未登録のものが混在しているものと仮定して説明する。
　【００３０】
「ファイル指定」による検索開始指示がされると、画像位置検索手段３３では、文字情報記憶部４２内の「検索キー情報」の先頭（図１０（Ｃ）の例では、ＫＥＹＡ）に位置付ける（ステップＳ２１）。続いて、未チェックの検索キーがあれば、登録済みキー情報の先頭（図８の例では、ＫＥＹＧ１１）に位置付ける（ステップＳ２２，ステップＳ２３）。そして、未チェックの登録済みキーがあるか否かを判定し（ステップＳ２４）、なければ次の検索キー情報の位置に位置付け（ステップＳ２５）、ステップＳ２２に戻り、次の検索キー情報に対する処理を行なう。ステップＳ２４において、未チェックの登録済みキーがあれば、検索キーと登録済みキーとが一致するか否かを判定し（ステップＳ２６）。一致しない場合は、ステップＳ２４に戻り、未チェックの登録済みキーに対する処理を繰り返す。
　【００３１】
　検索キーと登録済みキーとが一致する場合は、管理テーブル４３を参照して登録済みキーを持つ図形情報を図形情報記憶部４１から取得し、図形情報に基づいて画像上での当該位置を求め、画像ファイル５から該当の画像情報を読み込む（ステップＳ２７）。そして、表示制御手段３４では、当該位置が例えば表示画面の中央部に表示されるように、画面の表示領域を調整して表示装置２の表示部に表示する（ステップＳ２８）。
　【００３２】
　利用者は、次の検索を行ないたい場合は、「次を検索」ボタンを指示する。「次を検索」ボタンが指示されると（ステップＳ２９）、画像位置検索手段３３では、次の登録済みキー情報に位置付け（ステップＳ３０）、ステップＳ２４に戻り、上記の動作を繰り返す。そして、ステップＳ２２において、全ての検索キーについての検索処理が終了したと判定した場合、或いは、ステップＳ２９において、検索終了指示がされた場合、検索処理を終了する。
　【００３３】
　なお、上述した実施例においては、文字情報を関連情報として付加する場合を例として挙げたが、任意のマーク等のイメージ情報、或いは色情報などを関連情報として指定することも可能である。また、背景画像となる図形は任意であって、地図に限るものでない。
　【００３４】
　【発明の効果】
　以上のように本発明によれば、画像の任意の位置及び領域について任意の文字情報を関連情報として登録することができると共に、その関連情報を指示することにより、関連情報に対応する画像上での位置を求めることができる。そのため、画像の任意の位置に対して、利用者の情報を登録して管理することが可能となり、利用者が持っている情報を有効利用できるようになる。例えば、顧客管理ソフトなど既存のデータベースの住所データや顧客データを利用して、市街地図の上に当該位置を示す情報として表示することができるようになる。さらに、登録した文
字情
【図面の簡単な説明】
　【図１】本発明に係る文字情報と画像の合成装置の主要部の構成例を示すブロック図である。
　【図２】本発明の文字情報と画像の合成手順を示すフローチャートである。
　【図３】本発明における画像位置の検索手順を示すフローチャートである。
　【図４】本発明で用いる画像ファイルの一例を示す図である。
　【図５】本発明における画像位置の指定方法の一例を説明するための図である。
　【図６】本発明における画像位置の記憶方法の一例を説明するための図である。
　【図７】本発明における文字情報の登録方法の第１の例を説明するための図である。
　【図８】本発明における情報記憶部の構成例を示す概念図である。
　【図９】本発明における画像位置の検索方法を説明するための図である。
　【図１０】本発明における文字情報の登録方法の第２の例を説明するための図である。
　【符号の説明】
　１　入力装置
　２　表示装置
　３　中央処理部
　３１　図形情報登録手段
　３２　文字情報登録手段
　３３　画像位置検索手段
　３４　表示制御手段
　４　情報記憶部
　４１　図形情報記憶部
　４２　文字情報記憶部
　４３　管理テーブル
　５　画像ファイル